(57)【要約】【課題】家電機器個々のエネルギー消費量を管理することができず、家電機器毎にエネルギー消費量を削減（制御）することができないという課題があった。【解決手段】家電機器２０２〜２０８、２１０〜２１５をネットワーク２０９で結んだホームネットワークにおいて、ホームゲートウェイ２０１は、家電機器個々のエネルギー消費量（電気使用量・ガス使用量・水道使用量）を受信し、エネルギー消費量管理テーブルで管理する。ホームゲートウェイ２０１は、予め設定されたエネルギー消費量の制限値と、家電機器から受信したエネルギー消費量を月単位で集計した結果とを比較し、制限値に近づいた場合は、その旨を通知するとともに、家電機器に対して、エネルギー消費量の抑止を指示し、家電機器はこれを抑止する。【選択図】図２
2010117879.tif 000002
【特許請求の範囲】
【請求項１】
ネットワークに接続可能な家電機器と、前記家電機器をネットワークで結んだホームネットワークと、前記ホームネットワークとインターネットを接続するホームゲートウェイを有するホームシステムにおいて、
前記ホームゲートウェイは、前記家電機器から消費電力量情報を受信する手段と、前記家電機器のうち、ガスを消費する家電機器からガス使用量情報を受信する手段と、前記家電機器のうち、水道を使用する家電機器から水道使用量情報を受信する手段と、これらの受信情報を管理するためのエネルギー消費量管理テーブルと、前記家電機器に消費電力の抑止を指示する手段と、前記ガスを消費する家電機器にガス使用量の抑止を指示する手段と、前記水道を使用する家電機器に水道使用量の抑止を指示する手段と、前記エネルギー消費量管理テーブルに、エネルギー消費量の制限値を設定する操作部と、エネルギー消費量が制限値に近づいた場合に、その旨を通知する表示部と、エネルギー消費量を日別・月別・家電機器別で集計・表示する手段を備え、
前記家電機器は、自身の消費電力量を測定し、前記ホームゲートウェイに消費電力量情報を送信する手段と、前記ホームゲートウェイから消費電力の抑止指示を受信する手段と、消費電力を抑止する手段を備え、
前記ガスを消費する家電機器は、ガス使用量を測定し、前記ホームゲートウェイにガス使用量情報を送信する手段と、前記ホームゲートウェイからガス使用量の抑止指示を受信する手段と、ガス使用量を抑止する手段を備え、
前記水道を使用する家電機器は、水道使用量を測定し、前記ホームゲートウェイに水道使用量情報を送信する手段と、前記ホームゲートウェイから水道使用量の抑止指示を受信する手段と、水道使用量を抑止する手段を備え、
前記ホームゲートウェイは、前記操作部により予め設定されたエネルギー消費量の制限値と、前記家電機器から受信した消費電力量情報、ガス使用量情報、水道使用量情報を月単位で集計した結果とを比較し、制限値に近づいた場合は、その旨を前記表示部に通知するとともに、前記家電機器に対して、消費電力量又はガス使用量又は水道使用量の抑止を指示し、前記家電機器はこれを抑止することを特徴とするエネルギー消費量管理システム。
【発明の詳細な説明】
【技術分野】
【０００１】
本発明は、ネットワーク家電を利用したエネルギー消費量管理システムに関し、特に家庭又は職場のエネルギー消費量を削減することが可能なエネルギー消費量管理システムに関する。
【背景技術】
【０００２】
従来のエネルギー消費量を管理する方法は、電気使用量をブレーカの電力値、ガス使用量をガスメータ、水道使用量を水道メータから測定し、これらのエネルギー消費量を管理することができるものが知られている（例えば、特許文献１参照）。
【０００３】
【特許文献１】特開２００４−１２１４８号公報
【発明の開示】
【発明が解決しようとする課題】
【０００４】
上述したエネルギー消費量の管理システムでは、家電機器個々のエネルギー消費量を知ることができなかった。
【０００５】
本発明は上記問題を解決し、家電機器個々のエネルギー消費量を知ることができ、家電機器毎のエネルギー消費量を管理し、家電機器個々のエネルギー消費量を削減するシステムを提供することを目的とするものである。
【課題を解決するための手段】
【０００６】
上記目的を達成するために、本発明においては、前記ホームゲートウェイは、前記家電機器から消費電力量情報を受信する手段と、前記家電機器のうち、ガスを消費する家電機器からガス使用量情報を受信する手段と、前記家電機器のうち、水道を使用する家電機器から水道使用量情報を受信する手段と、これらの受信情報を管理するためのエネルギー消費量管理テーブルと、前記家電機器に消費電力の抑止を指示する手段と、前記ガスを消費する家電機器にガス使用量の抑止を指示する手段と、前記水道を使用する家電機器に水道使用量の抑止を指示する手段と、前記エネルギー消費量管理テーブルに、エネルギー消費量の制限値を設定する操作部と、エネルギー消費量が制限値に近づいた場合に、その旨を通知する表示部と、エネルギー消費量を日別・月別・家電機器別で集計・表示する手段を備え、前記家電機器は、自身の消費電力量を測定し、前記ホームゲートウェイに消費電力量情報を送信する手段と、前記ホームゲートウェイから消費電力の抑止指示を受信する手段と、消費電力を抑止する手段を備え、前記ガスを消費する家電機器は、ガス使用量を測定し、前記ホームゲートウェイにガス使用量情報を送信する手段と、前記ホームゲートウェイからガス使用量の抑止指示を受信する手段と、ガス使用量を抑止する手段を備え、前記水道を使用する家電機器は、水道使用量を測定し、前記ホームゲートウェイに水道使用量情報を送信する手段と、前記ホームゲートウェイから水道使用量の抑止指示を受信する手段と、水道使用量を抑止する手段を備え、前記ホームゲートウェイは、前記操作部により予め設定されたエネルギー消費量の制限値と、前記家電機器から受信した消費電力量情報、ガス使用量情報、水道使用量情報を月単位で集計した結果とを比較し、制限値に近づいた場合は、その旨を前記表示部に通知するとともに、前記家電機器に対して、消費電力量又はガス使用量又は水道使用量の抑止を指示し、前記家電機器はこれを抑止することを特徴とする。
【０００７】
本発明においては、「ホーム」は職場を含み、「家電機器」はガスを消費する機器や水道を消費する機器を含み、「エネルギー消費量」は水道使用量を含む。
【発明の効果】
【０００８】
本発明によれば、家電機器個々のエネルギー消費量を知ることで、無駄なエネルギーの消費を削減する計画を容易に立てることができ、また家電機器毎にエネルギー消費量を削減することができ、家庭又は職場全体のエネルギー消費量を削減することが可能となる。
【発明を実施するための最良の形態】
【０００９】
以下、本発明の実施の形態を図面に基づいて説明する。
【００１０】
図１は、本発明の実施の形態のエネルギー消費量管理システムにおけるホームシステムの全体概要図である。図１において１００はホームシステムの概要図、１０１〜１２６はネットワークに接続可能な家電機器、１２７は１０１〜１２６の家電機器とインターネットとを接続するホームゲートウェイを示す。
【００１１】
図２は、本発明の実施の形態のエネルギー消費量管理システムにおけるホームシステムのネットワーク構成図である。図２において２００はインターネット、２０１はホームゲートウェイ、２０２〜２０８及び２１０〜２１５はネットワークに接続可能な家電機器、２０９はホームゲートウェイ２０１と家電機器２０２〜２０８及び家電機器２１０〜２１５を接続する有線及び無線の通信網を示す。
【００１２】
家電機器２０２〜２０８、２１０〜２１５は、自身の消費電力量を測定し、ホームゲートウェイ２０１に消費電力量情報を送信する手段と、ホームゲートウェイ２０１から消費電力の抑止指示を受信する手段と、消費電力を抑止する手段を備える。また、家電機器２０２〜２０８、２１０〜２１５のうちガスを消費する家電機器は、ガス使用量を測定し、ホームゲートウェイ２０１にガス使用量情報を送信する手段と、ホームゲートウェイ２０１からガス使用量の抑止指示を受信する手段と、ガス使用量を抑止する手段を備える。また、家電機器２０２〜２０８、２１０〜２１５のうち水道を使用する家電機器は、水道使用量を測定し、ホームゲートウェイ２０１に水道使用量情報を送信する手段と、ホームゲートウェイ２０１から水道使用量の抑止指示を受信する手段と、水道使用量を抑止する手段を備える。これらの手段は各家電機器に内蔵されたコンピュータとプログラムで実現できる。あるいは、そのプログラムの一部又は全部をハードウェアで構成してもよい。
【００１３】
図３は、本発明の実施の形態のエネルギー消費量管理システムにおけるホームゲートウェイの機器構成図である。図３において３００はホームゲートウェイの概要図、３０１はネットワークに接続可能な家電機器との接続部であるホームネットワーク接続部、３０２はインターネットとの接続部であるインターネット接続部、３０３はエネルギー消費量を管理・制御する制御部、３０４はエネルギー消費量の制限値を設定する操作部、エネルギー消費量の表示、エネルギー消費量が制限値に近づいた場合にその旨を表示する表示部を示す。ホームゲートウェイ３００は１または複数のコンピュータとプログラムで実現できる。あるいは、そのプログラムの一部又は全部をハードウェアで構成してもよい。
【００１４】
図４は、ホームゲートウェイでエネルギー消費量の制限値を設定する方法を示す操作画面図である。図４において４００はホームゲートウェイの操作部・表示部の初期画面、４０１は初期画面４００において設定ボタンを押下すると表示する設定選択画面、４０２は設定選択画面４０１において電気使用量ボタンを押下すると表示する電気使用量設定選択画面、４０３は電気使用量設定選択画面４０２において全体ボタンを押下すると表示する電気使用量全体設定画面、４０４は電気使用量設定選択画面４０２において個別ボタンを押下すると表示する電気使用量個別設定選択画面、４０５は電気使用量個別設定選択画面４０４において照明器具ボタンを押下すると表示する電気使用量個別設定画面を示す。図には示していないが、設定選択画面４０１でガス使用量ボタンを押下した場合はガスに関する設定画面が表示され、水道使用量ボタンを押下した場合は水道に関する設定画面が表示される。
【００１５】
図５は、ホームゲートウェイでエネルギー消費量の表示方法を示す表示画面図である。図５において５００はホームゲートウェイの操作部・表示部の初期画面、５０１は初期画面５００において表示ボタンを押下すると表示する表示選択画面、５０２は表示選択画面５０１において電気使用量ボタンを押下すると表示する電気使用量表示選択画面、５０３は電気使用量表示選択画面５０２において個別ボタンを押下すると表示する電気使用量個別表示選択画面、５０４は電気使用量個別表示選択画面５０３においてエアコンボタンを押下すると表示する電気使用量個別表示画面、５０５は表示選択画面５０１においてガス使用量ボタンを押下すると表示するガス使用量表示選択画面、５０６はガス使用量表示選択画面５０５において個別ボタンを押下すると表示するガス使用量個別表示選択画面を示す。図には示していないが、表示選択画面５０１で水道使用量ボタンを押下した場合は水道に関する表示選択画面や表示画面が表示される。
【００１６】
図６は、エネルギー区分単位にエネルギー消費量の制限値を管理するエネルギー消費量制限値テーブルの記録フォーマットである。図６において６００はエネルギー区分、６０１はエネルギー名称、６０２はエネルギー消費量制限値を示す。
【００１７】
図７は、家電機器グループコード単位にエネルギー消費量の制限値を管理するエネルギー消費量個別制限値テーブルの記録フォーマットである。図７において７００はエネルギー区分、７０１は家電機器グループコード、７０２は家電機器グループ名称、７０３はエネルギー消費量制限値を示す。
【００１８】
図８は、家電機器コード・年・月単位に日毎のエネルギー消費量を管理するエネルギー消費量日別管理テーブルの記録フォーマットである。図８において８００はエネルギー区分、８０１は家電機器グループコード、８０２は家電機器コード、８０３は家電機器名称、８０４は年情報、８０５は月情報、８０６は月単位エネルギー消費量、８０７は日情報（１〜３１）、８０８は日単位エネルギー消費量（１〜３１）を示す。
【００１９】
図９は、ホームゲートウェイでエネルギー消費量の制限値を設定する処理フローである。図９において９００は初期画面を表示する初期画面表示ステップ、９０１はエネルギー消費量の設定の選択を判断する設定処理判定ステップ、９０２は設定選択画面を表示する設定選択画面表示ステップ、９０３、９１１はエネルギー消費量制限値を設定するエネルギー名の選択を判断する設定エネルギー名選択ステップ、９０４はエネルギー消費量日別管理テーブル（図８）から当月の電気使用量を算出する当月電気使用量算出ステップ、９０５はエネルギー消費量日別管理テーブル（図８）から当日の電気使用量を算出する当日電気使用量算出ステップ、９０６は電気使用量設定選択画面を表示する電気使用量設定選択画面表示ステップ、９０７、９１４、９１７はエネルギー消費量制限値を設定する単位の選択を判断する設定単位選択ステップ、９０８は電気使用量全体設定画面を表示する電気使用量全体設定画面表示ステップ、９０９、９１５、９１６はエネルギー消費量制限値の設定を操作する設定値選択ステップ１、９１０はエネルギー消費量制限値テーブル（図６）のエネルギー消費量制限値を設定するエネルギー消費量制限値設定ステップ１、９１２はガス使用量の制限値設定を行うガス使用量設定処理ステップ、９１３は水道使用量の制限値設定を行う水道使用量設定処理ステップ、９１８は電気使用量個別設定選択画面を表示する電気使用量個別設定選択画面表示ステップ、９１９、９２３はエネルギー消費量制限値を設定する家電機器の選択を判断する設定機器選択ステップ、９２０は電気使用量個別設定画面を表示する電気使用量個別設定画面表示ステップ、９２１、９２４、９２５はエネルギー消費量制限値の設定を操作する設定値選択ステップ２、９２２はエネルギー消費量個別制限値テーブル（図７）のエネルギー消費量制限値を設定するエネルギー消費量制限値設定ステップ２を示す。
【００２０】
図１０は、ホームゲートウェイでエネルギー消費量を表示する処理フローである。図１０において１０００は初期画面を表示する初期画面表示ステップ、１００１はエネルギー消費量の表示の選択を判断する表示処理判定ステップ、１００２は表示選択画面を表示する表示選択画面表示ステップ、１００３、１０１２はエネルギー消費量を表示するエネルギー名の選択を判断する表示エネルギー名選択ステップ、１００４はエネルギー消費量日別管理テーブル（図８）から当月の電気使用量を算出する当月電気使用量算出ステップ、１００５はエネルギー消費量日別管理テーブル（図８）から当日の電気使用量を算出する当日電気使用量算出ステップ、１００６は電気使用量表示選択画面を表示する電気使用量表示選択画面表示ステップ、１００７、１０１５はエネルギー消費量を表示する単位の選択を判断する表示選択ステップ、１００８は電気使用量個別表示選択画面を表示する電気使用量個別表示選択画面表示ステップ、１００９、１０１６はエネルギー消費量制限値を表示する家電機器の選択を判断する表示機器選択ステップ、１０１０は１００９、１０１６において選択された家電機器と一致するエネルギー消費量をエネルギー消費量日別管理テーブル（図８）から取得するエネルギー消費量取得処理ステップ、１０１１はエネルギー消費量取得処理ステップ１０１０において取得したエネルギー消費量を電気使用量個別表示画面に表示する電気使用量個別表示画面表示ステップ、１０１３はガス使用量の表示を行うガス使用量表示処理ステップ、１０１４は水道使用量の表示を行う水道使用量表示処理ステップを示す。
【００２１】
図１１は、ホームゲートウェイでエネルギー消費量を管理・抑止する処理フローである。図１１において１１００はホームゲートウェイに接続された家電機器からエネルギー消費量を受信するエネルギー消費量受信ステップ、１１０１、１１０２はエネルギー消費量受信ステップ１１００においてエネルギー消費量の送信元となる家電機器との接続が初回であるかを判断する接続機器判定ステップ、１１０３はエネルギー消費量受信ステップ１１００において受信したエネルギー消費量をエネルギー消費量日別管理テーブル（図８）に設定するエネルギー消費量更新ステップ、１１０４、１１１２はエネルギー消費量制限値が設定されているかを判断するエネルギー消費量制限値設定有無判定ステップ、１１０５、１１１４は設定されたエネルギー消費量制限値に対し、現在のエネルギー消費量が上回っていないかを判断するエネルギー消費量制限値オーバ判定ステップ、１１０６、１１１５はエネルギー消費量制限値を現在のエネルギー消費量が上回っている旨をホームゲートウェイの表示部へ表示するエネルギー消費量制限値オーバ表示ステップ、１１０７、１１０８は接続機器判定ステップ１１０１、１１０２においてエネルギー消費量の送信元となる家電機器との接続が初回である場合に管理情報を作成する接続機器登録ステップ、１１０９、１１１６は設定されたエネルギー消費量制限値に対し、現在のエネルギー消費量が警告値（８０％）を上回っていないかを判断するエネルギー消費量制限値警告判定ステップ、１１１０、１１１７はエネルギー消費量警告値を現在のエネルギー消費量が上回っている旨をホームゲートウェイの表示部へ表示するエネルギー消費量制限値警告表示ステップ、１１１１、１１１８はエネルギー消費量警告値を上回った家電機器に対し、該当エネルギーの消費抑止を指示するエネルギー消費量抑止処理ステップ、１１１３はエネルギー区分単位でのエネルギー消費量を集計するエネルギー消費量集計ステップを示す。
【００２２】
次に図３から図１１を用いて、１つの家電機器からホームゲートウェイが受信したエネルギー消費量を元に、月単位のエネルギー消費量を算出し、該当エネルギーの消費量抑止を指示する方法について説明する。
【００２３】
図４及び図９ではエネルギー消費量の制限値を設定する。
【００２４】
まず、図９では初期画面表示ステップ９００を行い、初期画面４００を表示する。設定処理判定ステップ９０１で設定ボタンの押下を判断し、「Ｙｅｓ」の場合は、設定選択画面表示ステップ９０２を行い、設定選択画面４０１を表示する。「Ｎｏ」の場合は、設定ボタンの押下があるまで繰り返し設定処理判定ステップ９０１を行う。設定エネルギー名選択ステップ９０３で電気使用量ボタンの押下を判断し、「Ｙｅｓ」の場合は、当月電気使用量算出ステップ９０４、当日電気使用量算出ステップ９０５、電気使用量設定選択画面表示ステップ９０６を行い、電気使用量設定選択画面４０２を表示する。「Ｎｏ」の場合は、設定エネルギー名選択ステップ９１１でガス使用量ボタンの押下を判断し、「Ｙｅｓ」の場合は、ガス使用量設定処理ステップ９１２を行い、ガス使用量制限値の設定作業が完了する。「Ｎｏ」の場合は、水道使用量設定処理ステップ９１３を行い、水道使用量制限値の設定作業が完了する。当月電気使用量算出ステップ９０４では、エネルギー消費量日別管理テーブル（図８）からエネルギー区分８００、年情報８０４、月情報８０５が一致する全てのレコードの月単位エネルギー消費量８０６を集計、当日電気使用量算出ステップ９０５では、エネルギー消費量日別管理テーブル（図８）からエネルギー区分８００、年情報８０４、月情報８０５が一致するレコードの日情報（１〜３１）８０７が一致する全ての日単位エネルギー消費量（１〜３１）８０８を集計する。設定単位選択ステップ９０７で全体ボタンの押下を判断し、「Ｙｅｓ」の場合は、電気使用量全体設定画面表示ステップ９０８を行い、電気使用量全体設定選択画面４０３を表示する。「Ｎｏ」の場合は、設定単位選択ステップ９１４で個別ボタンの押下を判断し、「Ｙｅｓ」の場合は、電気使用量個別設定選択画面表示ステップ９１８を行い、電気使用量個別設定選択画面４０４を表示する。「Ｎｏ」の場合は、設定単位選択ステップ９１７で終わりボタンの押下を判断し、「Ｙｅｓ」の場合は、設定作業が完了する。「Ｎｏ」の場合は、電気使用量設定選択画面表示ステップ９０６を行い、電気使用量設定選択画面４０２を表示する。設定値選択ステップ１（９０９）で上げるボタンの押下を判断し、「Ｙｅｓ」の場合は、エネルギー消費量制限値設定ステップ１（９１０）でエネルギー消費量制限値テーブル（図６）のエネルギー区分６００が一致するレコードのエネルギー消費量制限値６０２を更新（加算）し、電気使用量設定選択画面表示ステップ９０６を行い、電気使用量設定選択画面４０２を表示する。「Ｎｏ」の場合は、設定値選択ステップ１（９１５）で下げるボタンの押下を判断し、「Ｙｅｓ」の場合は、エネルギー消費量制限値設定ステップ１（９１０）でエネルギー消費量制限値テーブル（図６）のエネルギー区分６００が一致するレコードのエネルギー消費量制限値６０２を更新（減算）し、電気使用量設定選択画面表示ステップ９０６を行い、電気使用量設定選択画面４０２を表示する。「Ｎｏ」の場合は、設定値選択ステップ１（９１６）で戻るボタンの押下を判断し、「Ｙｅｓ」の場合は、電気使用量設定選択画面表示ステップ９０６を行い、電気使用量設定選択画面４０２を表示する。「Ｎｏ」の場合は、電気使用量全体設定画面表示ステップ９０８を行い、電気使用量全体設定選択画面４０３を表示する。設定機器選択ステップ９１９で照明器具ボタンの押下を判断し、「Ｙｅｓ」の場合は、電気使用量個別設定画面表示ステップ９２０を行い、電気使用量個別設定選択画面４０５を表示する。「Ｎｏ」の場合は、設定機器選択ステップ９２３でその他の家電機器ボタンの押下を判断し、電気使用量個別設定画面表示ステップ９２０を行い、電気使用量個別設定選択画面４０５を表示する。設定値選択ステップ２（９２１）で上げるボタンの押下を判断し、「Ｙｅｓ」の場合は、エネルギー消費量制限値設定ステップ２（９２２）でエネルギー消費量個別制限値テーブル（図７）のエネルギー区分７００、家電機器グループコード７０１が一致するレコードのエネルギー消費量制限値７０３を更新（加算）し、電気使用量設定選択画面表示ステップ９０６を行い、電気使用量設定選択画面４０２を表示する。「Ｎｏ」の場合は、設定値選択ステップ２（９２４）で下げるボタンの押下を判断し、「Ｙｅｓ」の場合は、エネルギー消費量制限値設定ステップ２（９２２）でエネルギー消費量個別制限値テーブル（図７）のエネルギー区分７００、家電機器グループコード７０１が一致するレコードのエネルギー消費量制限値７０３を更新（減算）し、電気使用量設定選択画面表示ステップ９０６を行い、電気使用量設定選択画面４０２を表示する。「Ｎｏ」の場合は、設定値選択ステップ２（９２５）で戻るボタンの押下を判断し、「Ｙｅｓ」の場合は、電気使用量設定選択画面表示ステップ９０６を行い、電気使用量設定選択画面４０２を表示する。「Ｎｏ」の場合は、電気使用量個別設定画面表示ステップ９２０を行い、電気使用量個別設定選択画面４０５を表示する。
【００２５】
図１１ではエネルギー消費量の管理・抑止制御をする。
【００２６】
まず、図１１ではエネルギー消費量受信ステップ１１００を行い、ホームゲートウェイに接続された家電機器からエネルギー消費量を受信する。接続機器判定ステップ１１０１でエネルギー消費量個別制限値テーブル（図７）のエネルギー区分７００、家電機器グループコード７０１が一致するレコードが存在するかを判断し、「Ｙｅｓ」の場合は、接続機器判定ステップ１１０２を行う。「Ｎｏ」の場合は、接続機器登録ステップ１１０７でエネルギー消費量個別制限値テーブル（図７）にレコードを追加する。接続機器判定ステップ１１０２でエネルギー消費量日別管理テーブル（図８）のエネルギー区分８００、家電機器グループコード８０１、家電機器コード８０２、年情報８０４、月情報８０５が一致するレコードが存在するかを判断し、「Ｙｅｓ」の場合は、エネルギー消費量更新ステップ１１０３を行う。「Ｎｏ」の場合は、接続機器登録ステップ１１０８でエネルギー消費量日別管理テーブル（図８）にレコードを追加する。エネルギー消費量更新ステップ１１０３では、エネルギー消費量日別管理テーブル（図８）の家電機器コード８０２、年情報８０４、月情報８０５が一致するレコードの月単位エネルギー消費量８０６、日情報（１〜３１）８０７が一致する日単位エネルギー消費量（１〜３１）８０８にそれぞれ前記家電機器から受信したエネルギー消費量を加算する。エネルギー消費量制限値設定有無判定ステップ１１０４でエネルギー消費量個別制限値テーブルの家電機器グループコード７０１が一致するレコードのエネルギー消費量制限値７０３が設定されているかを判断し、「Ｙｅｓ」の場合は、エネルギー消費量制限値オーバ判定ステップ１１０５を行う。「Ｎｏ」の場合は、エネルギー消費量制限値設定有無判定ステップ１１１２を行う。エネルギー消費量制限値オーバ判定ステップ１１０５で前記エネルギー消費量制限値７０３とエネルギー消費量日別管理テーブル（図８）の家電機器グループコード８０１、年情報８０４、月情報８０５が一致する全てのレコードの月単位エネルギー消費量８０６を集計した結果とを比較し、「エネルギー消費量制限値７０３≦集計結果」の場合は、エネルギー消費量制限値オーバ表示ステップ１１０６を行う。「エネルギー消費量制限値７０３＞集計結果」の場合は、エネルギー消費量制限値警告判定ステップ１１０９を行う。エネルギー消費量制限値オーバ表示ステップ１１０６では、エネルギー消費量制限値を現在のエネルギー消費量が上回っている旨をホームゲートウェイの表示部へ表示する。エネルギー消費量制限値警告判定ステップ１１０９では、前記エネルギー消費量制限値７０３の８０％の値と前記月単位エネルギー消費量８０６を集計した結果とを比較し、「エネルギー消費量制限値７０３の８０％≦集計結果」の場合は、エネルギー消費量制限値警告表示ステップ１１１０、エネルギー消費量抑止処理ステップ１１１１、エネルギー消費量制限値設定有無判定ステップ１１１２を行う。「エネルギー消費量制限値７０３の８０％＞集計結果」の場合は、エネルギー消費量制限値設定有無判定ステップ１１１２を行う。エネルギー消費量制限値警告表示ステップ１１１０では、エネルギー消費量警告値を現在のエネルギー消費量が上回っている旨をホームゲートウェイの表示部へ表示する。エネルギー消費量抑止処理ステップ１１１１では、エネルギー消費量日別管理テーブル（図８）の家電機器グループコード８０１、年情報８０４、月情報８０５が一致する全てのレコードを取得し、該当の家電機器に対し、エネルギー消費量の抑止を指示する。エネルギー消費量制限値設定有無判定ステップ１１１２でエネルギー消費量制限値テーブル（図６）のエネルギー区分６００が一致するレコードのエネルギー消費量制限値６０２が設定されているかを判断し、「Ｙｅｓ」の場合は、エネルギー消費量集計ステップ１１１３、エネルギー消費量制限値オーバ判定ステップ１１１４を行う。「Ｎｏ」の場合は、作業が完了する。エネルギー消費量集計ステップ１１１３では、エネルギー消費量日別管理テーブル（図８）のエネルギー区分８００、年情報８０４、月情報８０５が一致する全てのレコードの月単位エネルギー消費量８０６を集計する。エネルギー消費量制限値オーバ判定ステップ１１１４で、前記エネルギー消費量制限値６０２とエネルギー消費量集計ステップ１１１３で集計した結果とを比較し、「エネルギー消費量制限値６０２≦集計結果」の場合は、エネルギー消費量制限値オーバ表示ステップ１１１５を行う。「エネルギー消費量制限値６０２＞集計結果」の場合は、エネルギー消費量制限値警告判定ステップ１１１６を行う。エネルギー消費量制限値オーバ表示ステップ１１１５では、エネルギー消費量制限値を現在のエネルギー消費量が上回っている旨をホームゲートウェイの表示部へ表示する。エネルギー消費量制限値警告判定ステップ１１１６では、前記エネルギー消費量制限値６０２の８０％の値と前記月単位エネルギー消費量８０６を集計した結果とを比較し、「エネルギー消費量制限値６０２の８０％≦集計結果」の場合は、エネルギー消費量制限値警告表示ステップ１１１７、エネルギー消費量抑止処理ステップ１１１８を行い、作業が完了する。「エネルギー消費量制限値６０２の８０％＞集計結果」の場合は、作業が完了する。エネルギー消費量制限値警告表示ステップ１１１７では、エネルギー消費量警告値を現在のエネルギー消費量が上回っている旨をホームゲートウェイの表示部へ表示する。エネルギー消費量抑止処理ステップ１１１８では、エネルギー消費量日別管理テーブル（図８）のエネルギー区分８００、年情報８０４、月情報８０５が一致する全てのレコードを取得し、該当の家電機器に対し、エネルギー消費量の抑止を指示する。
【００２７】
以上、本発明者によってなされた発明を、前記実施形態に基づき具体的に説明したが、本発明は、前記実施形態に限定されるものではなく、その要旨を逸脱しない範囲において種々変更可能であることは勿論である。
【図面の簡単な説明】
【００２８】
【図１】本発明の実施の形態のエネルギー消費量管理システムにおけるホームシステムの全体概要図である。
【図２】本発明の実施の形態のエネルギー消費量管理システムにおけるホームシステムのネットワーク構成図である。
【図３】本発明の実施の形態のエネルギー消費量管理システムにおけるホームゲートウェイの機器構成図である。
【図４】ホームゲートウェイでエネルギー消費量の制限値を設定する方法を示す操作画面図である。
【図５】ホームゲートウェイでエネルギー消費量の表示方法を示す表示画面図である。
【図６】エネルギー区分単位にエネルギー消費量の制限値を管理するエネルギー消費量制限値テーブルの記録フォーマットである。
【図７】家電機器グループコード単位にエネルギー消費量の制限値を管理するエネルギー消費量個別制限値テーブルの記録フォーマットである。
【図８】家電機器コード・年・月単位に日毎のエネルギー消費量を管理するエネルギー消費量日別管理テーブルの記録フォーマットである。
【図９−１】ホームゲートウェイでエネルギー消費量の制限値を設定する処理フロー（その１）である。
【図９−２】ホームゲートウェイでエネルギー消費量の制限値を設定する処理フロー（その２）である。
【図１０】ホームゲートウェイでエネルギー消費量を表示する処理フローである。
【図１１−１】ホームゲートウェイでエネルギー消費量を管理・抑止する処理フロー（その１）である。
【図１１−２】ホームゲートウェイでエネルギー消費量を管理・抑止する処理フロー（その２）である。
【符号の説明】
【００２９】
１００：ホームシステムの全体概要図
１０１：パソコン
１０２、１０４、１０６、１０７、１１１、１１７、１１８、１２３、１２５：照明器具
１０３、１０５、１１０、１２４：エアコン
１０８：ハイビジョンテレビ
１０９：ＤＶＤレコーダー
１１２：ガス給湯器
１１３：ＩＨクッキングヒーター
１１４：食器洗い乾燥機
１１５：電子レンジ
１１６：冷蔵庫
１１９：乾燥機
１２０：洗濯機
１２１：ガス湯沸し器
１２２：トイレ
１２７：ホームゲートウェイ
２００：インターネット
２０１：ホームゲートウェイ
２０２：パソコン
２０３：照明器具
２０４：エアコン
２０５：ハイビジョンテレビ
２０６：ＤＶＤレコーダー
２０７：ガス給湯器
２０８：ＩＨクッキングヒーター
２０９：ホームネットワーク
２１０：食器洗い乾燥機
２１１：電子レンジ
２１２：冷蔵庫
２１３：乾燥機
２１４：洗濯機
２１５：トイレ
３００：ホームゲートウェイ
３０１：ホームネットワーク接続部
３０２：インターネット接続部
３０３：制御部
３０４：操作部・表示部
４００：初期画面
４０１：設定選択画面
４０２：電気使用量設定選択画面
４０３：電気使用量全体設定画面
４０４：電気使用量個別設定選択画面
４０５：電気使用量個別設定画面
５００：初期画面
５０１：表示選択画面
５０２：電気使用量表示選択画面
５０３：電気使用量個別表示選択画面
５０４：電気使用量個別表示画面
５０５：ガス使用量表示選択画面
５０６：ガス使用量個別表示選択画面
６００：エネルギー区分
６０１：エネルギー名称
６０２：エネルギー消費量制限値
７００：エネルギー区分
７０１：家電機器グループコード
７０２：家電機器グループ名称
７０３：エネルギー消費量制限値
８００：エネルギー区分
８０１：家電機器グループコード
８０２：家電機器コード
８０３：家電機器名称
８０４：年情報
８０５：月情報
８０６：月単位エネルギー消費量
８０７：日情報（１〜３１）
８０８：日単位エネルギー消費量（１〜３１）
９００：初期画面表示ステップ
９０１：設定処理判定ステップ
９０２：設定選択画面表示ステップ
９０３、９１１：設定エネルギー名選択ステップ
９０４：当月電気使用量算出ステップ
９０５：当日電気使用量算出ステップ
９０６：電気使用量設定選択画面表示ステップ
９０７、９１４、９１７：設定単位選択ステップ
９０８：電気使用量全体設定画面表示ステップ
９０９、９１５、９１６：設定値選択ステップ１
９１０：エネルギー消費量制限値設定ステップ１
９１２：ガス使用量設定処理ステップ
９１３：水道使用量設定処理ステップ
９１８：電気使用量個別設定選択画面表示ステップ
９１９、９２３：設定機器選択ステップ
９２０：電気使用量個別設定画面表示ステップ
９２１、９２４、９２５：設定値選択ステップ２
９２２：エネルギー消費量制限値設定ステップ２
１０００：初期画面表示ステップ
１００１：表示処理判定ステップ
１００２：表示選択画面表示ステップ
１００３、１０１２：表示エネルギー名選択ステップ
１００４：当月電気使用量算出ステップ
１００５：当日電気使用量算出ステップ
１００６：電気使用量表示選択画面表示ステップ
１００７、１０１５：表示選択ステップ
１００８：電気使用量個別表示選択画面表示ステップ
１００９、１０１６：表示機器選択ステップ
１０１０：エネルギー消費量取得処理ステップ
１０１１：電気使用量個別表示画面表示ステップ
１０１３：ガス使用量表示処理ステップ
１０１４：水道使用量表示処理ステップ
１１００：エネルギー消費量受信ステップ
１１０１、１１０２：接続機器判定ステップ
１１０３：エネルギー消費量更新ステップ
１１０４、１１１２：エネルギー消費量制限値設定有無判定ステップ
１１０５、１１１４：エネルギー消費量制限値オーバ判定ステップ
１１０６、１１１５：エネルギー消費量制限値オーバ表示ステップ
１１０７、１１０８：接続機器登録ステップ
１１０９、１１１６：エネルギー消費量制限値警告判定ステップ
１１１０、１１１７：エネルギー消費量制限値警告表示ステップ
１１１１、１１１８：エネルギー消費量抑止処理ステップ
１１１３：エネルギー消費量集計ステップ
【図１】
2010117879.tif 000003
【図２】
2010117879.tif 000004
【図３】
2010117879.tif 000005
【図４】
2010117879.tif 000006
【図５】
2010117879.tif 000007
【図６】
2010117879.tif 000008
【図７】
2010117879.tif 000009
【図８】
2010117879.tif 000010
【図９−１】
2010117879.tif 000011
【図９−２】
2010117879.tif 000012
【図１０】
2010117879.tif 000013
【図１１−１】
2010117879.tif 000014
【図１１−２】
2010117879.tif 000015